(57)【要約】【課題】大きな凹凸を有する面に、固定物の脱着が容易になされ、経済的であり、取り扱いが容易な吸着固定方法を提供すること。【解決手段】凹凸を有する面に粘・接着剤による塗布面を形成し、該塗布面に吸着冶具を配置してなる吸着固定方法。【選択図】図１
2004204092.tif 000002
【特許請求の範囲】
【請求項１】
凹凸を有する面に粘・接着剤による塗布面を形成し、該塗布面に吸着冶具を配置してなることを特徴とする吸着固定方法。
【請求項２】
該吸着冶具が空気吸引口を有する真空吸着パッドであることを特徴とする請求項１に記載の吸着固定方法。
【請求項３】
該粘・接着剤がパテ剤であることを特徴とする請求項１または２に記載の吸着固定方法。
【発明の詳細な説明】
【０００１】
【発明の属する技術分野】
本発明は、壁面などに吸着固定する方法に関する。
【０００２】
【従来技術】
従来技術より、壁面などに固定物を仮固定、半永久固定する方法として吸着板による方法が成されてきた。鏡の面、滑らかなタイルの面、金属の面、ホウロウ、塗装、等で滑らかに仕上げられた面、等には、直接的に吸着冶具を配置して吸着固定が成されている。また、僅かな荒れた面には、裏面に接着層を形成したプラスチック、金属、等の板を貼り付けて滑らかな面として吸着固定が成されている。
【０００３】
【発明が解決しようとする課題】
凹凸のある面に吸着固定するには、裏面に厚い接着剤層を形成したプラスチック、金属、等の板を貼り付けて吸着冶具により固定物を吸着固定する方法が成されている。これ等の方法は、プラスチック、金属、等の板による仲介層を必要としている問題があり、これ等の仲介層を無くしても固定物の仮固定、半永久的な固定が成され、固定物の脱着が容易になされ、経済的であり取扱いが容易な吸着固定方法を提供することである。
【０００４】
【課題を解決するための手段】
凹凸を有する面に粘・接着剤による塗布面を形成し、該塗布面に吸着冶具を配置することにより被固定物の仮固定、半永久的な固定がなされ、被固定物の脱着が容易になされ、経済的である吸着固定方法を提供することができる。
【０００５】
本発明に係る吸着固定方法は、凹凸を有する面に粘・接着剤による塗布面を形成して面を平坦化し、吸着冶具を配置して負圧、真空圧で被固定物を固定吸着する方法である。本発明に係る吸着固定方法について以下に詳細を説明する。本発明に係る吸着方法は、以下の説明に限定されるもではない。
【０００６】
本発明に係る吸着固定方法における凹凸を有する面１とは、表面に凹凸を有する無機物、有機物、金属、プラスチック、布、紙、木、等よりなるものである。また、凹凸を有する該面１の凹凸サイズを特に限定するものではないが、０．５ｍｍ以上１０ｍｍ以下の凹凸がある面に有効である。更に、１ｍｍ〜８ｍｍの凹凸がある面において有効である。これらの大きな凹凸面には、直接的に吸着冶具を使用して固定することがリークの問題で困難であり、また、接着剤層６を形成したプラスチック、金属、等の板７を貼り付けて使用することが困難である。
【０００７】
本発明にかかる吸着固定方法における粘・接着剤による塗布面２の形成は、吸着冶具３による固定位置近傍に粘・接着剤を塗布し形成して表面が平坦な塗布面２とすることである。凹凸を有する面１に粘・接着剤を塗布する場合、該粘・接着剤が凹凸の中に入り込むように加圧して塗布することによりアンカー効果が増加して固定効果が増す。該粘・接着剤を特に限定するものでないが、例えば、市販されている粘着剤、接着剤、パテ剤、等である。好ましくは、粘度の調整等か安易で、扱い易く、凹凸面に入り込みアンカー効果・気密性が良好なパテ剤である。
【０００８】
本発明にかかる吸着固定方法における吸着冶具３は、塗布面２が形成された面１に固定物４を固定するものである。例えば、市販されている吸盤、工業用に使用されている空気吸引口を有する真空吸着盤（真空吸着パッド）、等である。好ましくは、連続吸引による空気吸引口５を有する真空吸着パッド３を使用すること、または、間欠吸引による空気吸引口５を有する該真空吸着パッド３を使用することである。凹凸を有する面１にパテ剤による表面が平坦な塗布面２を形成し、該塗布面に該真空パッド３を配置し、固定物４を該真空パッド３の反対側に配置し、該真空パッド３に形成された空気吸引孔５から真空ポンプ（図示せず）による吸引をすることにより該面１及び該固定物４が吸着固定され、真空ポンプによる吸引を停止すれば、該固定物４は、該面１から容易に解放離脱することができる。
【０００９】
本発明に係る吸着固定方法は、凹凸を有する面に固定物を安易に、経済的に仮固定、半永久的な固定をすることができる。
【００１０】
【実施例】
以下に本発明に係る吸着固定方法の一実施態様を説明する。また、比較例を例示する。なお、本発明に係る吸着固定方法は、以下の実施例に限定されるものではない。
【００１１】
（実施例）
図１により説明する。表面の凹凸が平均的に３〜６ｍｍのモルタル仕上げの壁面である面１に、パテ剤を竹材製のヘラで加圧するように均一に、表面が滑らかになるように、厚過ぎる事なく表面の凹凸が隠れるように、約５ｃｍの直径となるように塗布し、乾燥して塗布面２を形成した。吸着冶具として側面に空気吸引口５を有する真空吸着パッド３（吸着冶具としての真空吸着パッドは、塗布面と接する側が解放状態で他の面がプラスチック、樹脂、金属、等でカップ型に形成され、前記他の面に空気吸引孔が形成され、該空気吸引孔に吸引口を設けた物である。）を該塗布面２に配置し、該空気吸引口５より真空ポンプ（図示せず）で連続排気して吸着固定し、該真空吸着パッドに固定物４を固定し、面１に該塗布面２及び該真空パッド３を介して固定物４を固定する。固定物４及び真空パッド３の間の固定方法は、図示していないが機械構造的に固定してもよく、真空吸着による固定してもよい。実施例では、フック状物で掛けるように固定した。
【００１２】
実施例による吸着固定方法による固定は、大きな凹凸面に簡易な方法でパテ剤を塗布して塗布面２を形成し、吸着冶具３（真空吸着パッド）を介して固定物４を固定することができる。また、該吸着冶具には、空気吸引孔が形成されていて真空ポンプにより連続的排気により比較的重量物である該固定物が固定される。
【００１３】
（比較例）
図２により説明する。図中の番号又は名称は、実施例と比較が容易なように同じものを用いる。表面の凹凸が平均的に０．２ｍｍの布張り壁面である面１に、（両面）接着剤層６が貼り付けられたアクリル板７（直径が約５ｃｍ、厚さが約０．３ｍｍ、滑らかな面である。）を該接着剤層６が該面１と接するようにして接着する。該アクリル板７に吸着冶具である吸着盤３を配置して固定物４を固定する。このような例において、表面が滑らかなアクリル板７に吸着盤３が吸着して該吸着盤の内側が負圧となり比較的軽量な固定物４が固定される。この方法では、大きな凹凸を有する面、重量物を固定保持すること、が困難である。
【００１４】
【発明の効果】
本発明に係る吸着固定方法は、大きな凹凸を有する面に粘・接着剤を簡易な方法で塗布して塗布面を形成し、該塗布面に吸着冶具を介して固定物を配置し、該吸着冶具の空気吸引口より排気し、固定物を面に仮固定、半永久的に固定、する事ができ、固定物の脱着が容易であり、経済的な方法である。
【図面の簡単な説明】
【図１】本発明に係る吸着固定方法による一実施態様による吸着固定を示す断面図である。
【図２】比較例を示す断面図である。
【符号の説明】
１  面
２  塗布面
３  吸着冶具
４  固定物
５  空気吸引口
６  接着剤層
７  板
【図１】
2004204092.tif 000003
【図２】
2004204092.tif 000004